(57)【要約】【課題】急激な断面変化がなく製造が容易でコスト的にも有利な車両用のアーム部品を提供する。【解決手段】第１方向及び前記第１方向と直交する第２方向がなす平面に延在する平板である被加工材Ｗを段階的にプレス加工することにより、第２方向の２側面を突き合わせ接合して成形した車両用のアーム部品であって、第１方向に沿って設けられ、円筒形状を有する円筒部１０と、円筒部の第１方向の両端に設けられ、外径が第１方向外向きに拡大するブラケット部２０と、ブラケット部に第２方向に沿って対向して設けられ、第２方向に沿って対向する位置に貫通孔２０Ｈが形成された２つの鍔部３０と、を有することを特徴とする。【選択図】図１
2014034885.tif 000002
【特許請求の範囲】
【請求項１】
第１方向及び前記第１方向と直交する第２方向がなす平面に延在する平板である被加工材を段階的にプレス加工することにより、前記第２方向の２側面を突き合わせ接合して成形した車両用のアーム部品であって、
前記第１方向に沿って設けられ、円筒形状を有する円筒部と、
前記円筒部の前記第１方向の両端に設けられ、外径が前記第１方向外向きに拡大するブラケット部と、
前記ブラケット部に前記第２方向に沿って対向して設けられ、前記第２方向に沿って対向する位置に貫通孔が形成された２つの鍔部と、
を有し、
前記貫通孔は、突き合わせ接合された前記２側面に対して交差する方向へ伸延する車両用のアーム部品。
【請求項２】
前記２側面は、前記平面に直交する第３方向から視て、
突き合わせ接合される接合部と、当該接合部の前記第１方向の両端に設けられ前記第１方向外向きに拡大して離間する離間部と、を有する請求項１に記載の車両用のアーム部品。
【請求項３】
前記円筒部は、当該円筒部の他の部位よりも剛性が脆弱である脆弱部を有する請求項１または２に記載の車両用のアーム部品。
【請求項４】
前記脆弱部は、前記円筒部の周壁に形成した周壁孔から構成される請求項３に記載の車両用のアーム部品。
【請求項５】
前記周壁孔は、前記２側面のそれぞれに形成した切欠きが突き合わされることによって形成される請求項４に記載の車両用のアーム部品。
【請求項６】
前記２側面が突き合わせ接合される接合部は、未溶接部を残して溶接が施されており、
前記脆弱部は、前記未溶接部から構成される請求項３に記載の車両用のアーム部品。
【請求項７】
前記円筒部の端部の直径をｄ１、前記ブラケット部の最大直径をｄ２、前記円筒部の端部から前記ブラケット部の最大直径の位置までの距離をＬとして、α＝（ｄ２−ｄ１）／Ｌで表される拡大率αが１／３より小さい請求項１〜６のいずれか１項に記載の車両用のアーム部品。
【請求項８】
第１方向及び前記第１方向と直交する第２方向がなす第１平面に延在する平板である被加工材を段階的にプレス加工することにより、前記第１方向と前記第１平面に直交する第３方向とがなす第２平面における前記被加工材の２側面を突き合わせて、中空形状を有する車両用のアーム部品を製造するための車両用のアーム部品の製造方法であって、
前記第２方向及び前記第３方向がなす第３平面内で、前記被加工材の非押出部を残して、前記第３方向へ押し出されるとともに前記第１方向外向きに拡大して伸延する押出部を形成する工程と、
前記第３平面における前記押出部の湾曲形状に沿うように前記非押出部をプレス加工して、前記２側面を当接する工程と、
前記第１方向の両端に中子を配置した状態で、プレス加工して、前記第１方向の両端に矩形部を形成する工程と、
前記矩形部の前記第３方向の２側部の一部を切断する工程と、
前記２側部の一部が切断された前記矩形部をノッチ加工して、前記第２方向に沿って２つの鍔部を形成する工程と、
前記２つの鍔部が形成された前記矩形部をピアス加工して、前記２つの鍔部の前記第２方向に沿って対向する位置に、突き合わせ接合された前記２側面に対して交差する方向へ貫通孔を形成する工程と、
を有する車両用のアーム部品の製造方法。
【請求項９】
第１方向及び前記第１方向と直交する第２方向がなす第１平面に延在する平板である被加工材を段階的にプレス加工することにより、前記第１方向と前記第１平面に直交する第３方向とがなす第２平面における前記被加工材の２側面を突き合わせて、中空形状を有する車両用のアーム部品を製造するための車両用のアーム部品の製造方法であって、
前記被加工材をプレス加工して、前記第２方向及び前記第３方向がなす第３平面内で前記第３方向へ押し出されるとともに、前記第１方向外向きに拡大して伸延する押出部を形成する工程と、
前記第１方向の両側から一対の中子を前記被加工材に挿入した状態で、前記被加工材をプレス加工して、前記２側面を当接しつつ前記第１方向の両端に矩形部を形成する工程と、
前記矩形部をピアス加工して、前記矩形部の前記第２方向に沿って対向する位置に貫通孔を形成する工程と、
を有する車両用のアーム部品の製造方法。
【請求項１０】
前記押出部を形成する工程の前に、長方形状の平板である基板を切断して、前記第３方向から視て、前記第１方向の中央近傍において前記第１方向に略平行であって、前記第１方向外向きに拡大しつつ両端近傍において前記第１方向に略平行な形状の前記被加工材を形成する工程をさらに有し、
前記２側面は突き合わせされた際に、前記第３方向から視て、
突き合わせ接合される接合部と、当該接合部の前記第１方向の両端に設けられ前記第１方向外向きに拡大して離間する離間部と、を有する請求項８または９に記載の車両用のアーム部品の製造方法。
【請求項１１】
前記２側面を当接する工程の後に、他の部位よりも剛性が脆弱である脆弱部を形成する工程をさらに有する請求項８〜１０のいずれか１項に記載の車両用のアーム部品の製造方法。
【請求項１２】
前記２側面を当接した後に、前記２側面が当接された当接部は未溶接部を残して溶接が施され、前記脆弱部は前記未溶接部から構成される請求項１１に記載の車両用のアーム部品の製造方法。
【発明の詳細な説明】
【技術分野】
【０００１】
本発明は、車両用のアーム部品とその製造方法に関する。
【背景技術】
【０００２】
車両用のアーム部品としては、車体と車輪とを連結するサスペンションアームや、サブフレームと車輪とを連結するラジアスロッドなどのようなものがある。このような車両用のアーム部品は車両走行時あるいは制動時に作用する大きな力に対抗するとともにこのような力を伝達するために、十分な剛性を有していなければならない。【０００３】
このようなアーム部品として、例えば特許文献１には、円筒形状のパイプと、パイプの長手方向一端に溶接接合されたヨーク部と、他端に溶接接合されたブッシュ取付部と、を有するサスペンションアームが記載されている。
【先行技術文献】
【特許文献】
【０００４】
【特許文献１】特開２００２−９８１３２号公報段落番号［０００２］
【発明の概要】
【発明が解決しようとする課題】
【０００５】
しかしながら、特許文献１に記載のサスペンションアームでは、溶接接合されたパイプ・ヨーク部間及びパイプ・ブッシュ取付部間において急激な断面変化が生じる。このため、応力集中による破損防止の観点から、高精度の溶接作業が要求され、製造コストが増大し、かつ製造工程が煩雑となる。さらに同様の観点から、薄肉化による軽量化が困難である。【０００６】
本発明は、上記従来技術に伴う課題を解決するためになされたものであり、急激な断面変化がなく製造が容易でコスト的にも有利な車両用のアーム部品を提供することを目的とする。
【課題を解決するための手段】
【０００７】
上記目的は、下記（１）〜（１２）に記載の発明により達成される。【０００８】
（１）第１方向及び前記第１方向と直交する第２方向がなす平面に延在する平板である被加工材を段階的にプレス加工することにより、前記第２方向の２側面を突き合わせ接合して成形した車両用のアーム部品であって、前記第１方向に沿って設けられ、円筒形状を有する円筒部と、前記円筒部の前記第１方向の両端に設けられ、外径が前記第１方向外向きに拡大するブラケット部と、前記ブラケット部に前記第２方向に沿って対向して設けられ、前記第２方向に沿って対向する位置に貫通孔が形成された２つの鍔部と、を有し、前記貫通孔は、突き合わせ接合された前記２側面に対して交差する方向へ伸延する車両用のアーム部品。【０００９】
（２）前記２側面は、前記平面に直交する第３方向から視て、突き合わせ接合される接合部と、当該接合部の前記第１方向の両端に設けられ前記第１方向外向きに拡大して離間する離間部と、を有する上記（１）に記載の車両用のアーム部品。【００１０】
（３）前記円筒部は、当該円筒部の他の部位よりも剛性が脆弱である脆弱部を有する上記（１）または（２）に記載の車両用のアーム部品。【００１１】
（４）前記脆弱部は、前記円筒部の周壁に形成した周壁孔から構成される上記（３）に記載の車両用のアーム部品。【００１２】
（５）前記周壁孔は、前記２側面のそれぞれに形成した切欠きが突き合わされることによって形成される上記（４）に記載の車両用のアーム部品。【００１３】
（６）前記２側面が突き合わせ接合される接合部は、未溶接部を残して溶接が施されており、前記脆弱部は、前記未溶接部から構成される上記（３）に記載の車両用のアーム部品。【００１４】
（７）前記円筒部の端部の直径をｄ１、前記ブラケット部の最大直径をｄ２、前記円筒部の端部から前記ブラケット部の最大直径の位置までの距離をＬとして、α＝（ｄ２−ｄ１）／Ｌで表される拡大率αが１／３より小さい上記（１）〜（６）のいずれか１つに記載の車両用のアーム部品。【００１５】
（８）第１方向及び前記第１方向と直交する第２方向がなす第１平面に延在する平板である被加工材を段階的にプレス加工することにより、前記第１方向と前記第１平面に直交する第３方向とがなす第２平面における前記被加工材の２側面を突き合わせて、中空形状を有する車両用のアーム部品を製造するための車両用のアーム部品の製造方法であって、前記第２方向及び前記第３方向がなす第３平面内で、前記被加工材の非押出部を残して、前記第３方向へ押し出されるとともに前記第１方向外向きに拡大して伸延する押出部を形成する工程と、前記第３平面における前記押出部の湾曲形状に沿うように前記非押出部をプレス加工して、前記２側面を当接する工程と、前記第１方向の両端に中子を配置した状態で、プレス加工して、前記第１方向の両端に矩形部を形成する工程と、前記矩形部の前記第３方向の２側部の一部を切断する工程と、前記２側部の一部が切断された前記矩形部をノッチ加工して、前記第２方向に沿って２つの鍔部を形成する工程と、前記２つの鍔部が形成された前記矩形部をピアス加工して、前記２つの鍔部の前記第２方向に沿って対向する位置に、突き合わせ接合された前記２側面に対して交差する方向へ貫通孔を形成する工程と、を有する車両用のアーム部品の製造方法。【００１６】
（９）第１方向及び前記第１方向と直交する第２方向がなす第１平面に延在する平板である被加工材を段階的にプレス加工することにより、前記第１方向と前記第１平面に直交する第３方向とがなす第２平面における前記被加工材の２側面を突き合わせて、中空形状を有する車両用のアーム部品を製造するための車両用のアーム部品の製造方法であって、前記被加工材をプレス加工して、前記第２方向及び前記第３方向がなす第３平面内で前記第３方向へ押し出されるとともに、前記第１方向外向きに拡大して伸延する押出部を形成する工程と、前記第１方向の両側から一対の中子を前記被加工材に挿入した状態で、前記被加工材をプレス加工して、前記２側面を当接しつつ前記第１方向の両端に矩形部を形成する工程と、前記矩形部をピアス加工して、前記矩形部の前記第２方向に沿って対向する位置に貫通孔を形成する工程と、を有する車両用のアーム部品の製造方法。【００１７】
（１０）前記押出部を形成する工程の前に、長方形状の平板である基板を切断して、前記第３方向から視て、前記第１方向の中央近傍において前記第１方向に略平行であって、前記第１方向外向きに拡大しつつ両端近傍において前記第１方向に略平行な形状の前記被加工材を形成する工程をさらに有し、前記２側面は突き合わせされた際に、前記第３方向から視て、突き合わせ接合される接合部と、当該接合部の前記第１方向の両端に設けられ前記第１方向外向きに拡大して離間する離間部と、を有する上記（８）または（９）に記載の車両用のアーム部品の製造方法。【００１８】
（１１）前記２側面を当接する工程の後に、他の部位よりも剛性が脆弱である脆弱部を形成する工程をさらに有する上記（８）〜（１０）のいずれか１つに記載の車両用のアーム部品の製造方法。【００１９】
（１２）前記２側面を当接した後に、前記２側面が当接された当接部は未溶接部を残して溶接が施され、前記脆弱部は前記未溶接部から構成される上記（１１）に記載の車両用のアーム部品の製造方法。
【発明の効果】
【００２０】
上記（１）に記載の発明によれば、平板である被加工材をプレス加工することにより、ブラケット部の外径が第１方向の外側に向かって大きくなるように成形されるため、急激な断面変化がなく製造が容易でコスト的にも有利な車両用のアーム部品を提供することができる。【００２１】
上記（２）に記載の発明によれば、突き合わせ接合される接合部の第１方向の両端に離間部が設けられるため、車両用のアーム部品を軽量化することができる。また、材料の歩留まりが向上する。【００２２】
上記（３）に記載の発明によれば、円筒部は、他の部位よりも剛性が脆弱である脆弱部を有するため、車両用のアーム部品に所定値以上の圧縮荷重が加わったとき、脆弱部において座屈を発生させることができる。【００２３】
上記（４）に記載の発明によれば、脆弱部の剛性を周壁孔の大きさによって適宜設定することができるため、車両用のアーム部品が座屈する圧縮荷重を自由に設定することができる。【００２４】
上記（５）に記載の発明によれば、予め形成された切欠きが突き合わされることによって周壁孔が形成されるため、穴開け加工がなくなり、容易に周壁孔を形成することができる。【００２５】
上記（６）に記載の発明によれば、脆弱部を形成するための穴開け加工がなくなるため、容易に脆弱部を形成することができる。【００２６】
上記（７）に記載の発明によれば、ブラケット部の外径が緩やかに変化するので、急激な断面変化がない車両用のアーム部品を提供することができる。【００２７】
上記（８）に記載の発明によれば、平板である被加工材をプレス加工することにより、ブラケット部の外径が第１方向の外側に向かって大きくなるように成形されるため、急激な断面変化がなく製造が容易でコスト的にも有利な車両用のアーム部品を提供することができる。【００２８】
上記（９）に記載の発明によれば、平板である被加工材をプレス加工することにより、ブラケット部の外径が第１方向の外側に向かって大きくなるように成形されるため、急激な断面変化がなく製造が容易でコスト的にも有利な車両用のアーム部品を提供することができる。また、上記（８）に記載の発明と比較してより少ない工程で車両用のアーム部品を製造することができる。【００２９】
上記（１０）に記載の発明によれば、２側面を当接する際に、被加工材は第１方向の両端近傍において第１方向に略平行な形状を有するため、２側面はプレス工程の金型に対して点接触することがなくなる。したがって、金型の部分摩耗を防止でき、金型を長く使用することができる。また、基板から効率よく被加工材を得ることができ、材料の歩留まりが向上する。【００３０】
上記（１１）に記載の発明によれば、他の部位よりも剛性が脆弱である脆弱部を有するため、車両用のアーム部品に所定値以上の圧縮荷重が加わったとき、脆弱部において座屈させることができる。【００３１】
上記（１２）に記載の発明によれば、脆弱部を形成するための穴開け加工がなくなるため、容易に脆弱部を形成することができる。
【図面の簡単な説明】
【００３２】
【図１】本発明の第１実施形態に係るサスペンションアームを示す図であって、図１（Ａ）は正面図を、図１（Ｂ）は上面図を示す。
【図２】第１実施形態に係るサスペンションアームのプレス加工前の平板である被加工材を示す斜視図である。
【図３】第１実施形態に係るサスペンションアームの製造方法の押出工程を示す図であって、図３（Ａ）はＸ軸に直交する断面図、図３（Ｂ）はＹ軸に直交する中央線における中央断面図である。
【図４】第１実施形態に係る押出工程終了時の被加工材の斜視図である。
【図５】第１実施形態に係るサスペンションアームの製造方法のトリミング工程を示すＸ軸に直交する断面図である。
【図６】第１実施形態に係るトリミング工程終了時の被加工材の斜視図である。
【図７】第１実施形態に係るサスペンションアームの製造方法の屈曲工程を示すＸ軸に直交する断面図である。
【図８】第１実施形態に係る屈曲工程終了時の被加工材の斜視図である。
【図９】第１実施形態に係るサスペンションアームの製造方法の内曲げ工程を示すＸ軸に直交する断面図である。
【図１０】第１実施形態に係る内曲げ工程終了時の被加工材の斜視図である。
【図１１】第１実施形態に係るサスペンションアームの製造方法の当接工程を示すＸ軸に直交する断面図である。
【図１２】第１実施形態に係る当接工程終了時の被加工材の斜視図である。
【図１３】第１実施形態に係るサスペンションアームの製造方法の矩形部形成工程を示すＸ軸に直交するＸ方向の両端における断面図である。
【図１４】第１実施形態に係る矩形部形成工程終了時の被加工材の斜視図である。
【図１５】第１実施形態に係るサスペンションアームの製造方法の切断工程を示すＸ軸に直交するＸ方向の両端における断面図である。
【図１６】第１実施形態に係る切断工程終了時の被加工材の斜視図である。
【図１７】第１実施形態に係るノッチ工程終了時の被加工材の斜視図である。
【図１８】第１実施形態に係るピアス工程終了時の被加工材の斜視図である。
【図１９】第１実施形態に係る脆弱部形成工程終了時の被加工材の斜視図である。
【図２０】本発明の第２実施形態に係るサスペンションアームを示す斜視図である。
【図２１】第２実施形態に係るサスペンションアームのプレス加工前の平板である基板を示す斜視図である。
【図２２】第２実施形態に係るサスペンションアームの製造方法のトリミング工程を示すＸ軸に直交する断面図である。
【図２３Ａ】第２実施形態に係るトリミング工程終了時の被加工材の上面図である。
【図２３Ｂ】対比例として離間部が形成されない場合の被加工材の上面図である。
【図２４】第２実施形態に係るサスペンションアームの製造方法の屈曲工程を示すＸ軸に直交する断面図であって、図２４（Ａ）は屈曲工程前を、図２４（Ｂ）は屈曲工程終了時をそれぞれ示す。
【図２５】第２実施形態に係る屈曲工程終了時の被加工材の斜視図である。
【図２６】第２実施形態に係るサスペンションアームの製造方法の当接工程の際に、被加工材に一対の中子を挿入する様子を示す斜視図である。
【図２７】第２実施形態に係るサスペンションアームの製造方法の当接工程を示す、Ｘ方向中央近傍におけるＸ軸に直交する断面図であって、図２７（Ａ）は当接工程前を、図２７（Ｂ）は当接工程終了後をそれぞれ示す。
【図２８】第２実施形態に係るサスペンションアームの製造方法の当接工程を示す、Ｘ方向両端近傍におけるＸ軸に直交する断面図であって、図２８（Ａ）は当接工程前を、図２８（Ｂ）は当接工程終了後をそれぞれ示す。
【図２９】第２実施形態に係る当接工程終了時の被加工材の斜視図である。
【図３０】本実施形態に係るサスペンションアームの改変例を示す図である。
【図３１】本実施形態に係るサスペンションアームの他の改変例を示す図である。
【発明を実施するための形態】
【００３３】
＜第１実施形態＞
本発明の第１実施形態を、図面を参照しつつ説明する。なお、本実施形態において平板が配置される配置面をＸＹ平面として、平板が伸延する方向をＸ方向（第１方向）、配置面においてＸ方向に直交する方向をＹ方向（第２方向）、ＸＹ平面に直交する方向をＺ方向（第３方向）とする。
【００３４】
本実施形態に係る車両用のアーム部品は、図１に示されるように、車両用のサスペンションアーム１に用いられるものであり、Ｘ方向及びＹ方向がなすＸＹ平面に延在する平板である被加工材Ｗを段階的にプレス加工することにより、Ｙ方向の２側面Ｗ１，Ｗ２を突き合わせ接合して成形される。
【００３５】
図１は、本実施形態に係るサスペンションアーム１を示す図であって、図１（Ａ）は正面図を、図１（Ｂ）は上面図を示す。
【００３６】
サスペンションアーム１は、Ｘ方向に沿って設けられ、円筒形状を有する円筒部１０と、円筒部１０のＸ方向の両端に設けられ、外径がＸ方向外向きに拡大するブラケット部２０と、ブラケット部２０にＹ方向に沿って対向して設けられ、Ｙ方向に沿って対向する位置に貫通孔２０Ｈが形成された２つの鍔部３０と、を有する。
【００３７】
円筒部１０は、円筒部１０の他の部位よりも剛性が脆弱である脆弱部１１を有する。脆弱部１１は、円筒部１０の周壁に形成した周壁孔から構成される。脆弱部１１を有するため、サスペンションアーム１に所定値以上の圧縮荷重が加わったとき、脆弱部１１において座屈を発生させることができる。
【００３８】
ブラケット部２０は、円筒部１０の左端に設けられた第１のブラケット部２１と、円筒部１０の右端に設けられた第２のブラケット部２２と、を有する。
【００３９】
ブラケット部２０は、具体的には以下に示すように外径がＸ方向外向きに拡大する。すなわち、円筒部１０の端部の直径をｄ１、ブラケット部２０の最大直径をｄ２、円筒部１０の端部からブラケット部２０の最大直径の位置までの距離をＬとして、α＝（ｄ２−ｄ１）／Ｌで表される拡大率αが１／３より小さい。このため、ブラケット部２０の外径が緩やかに変化するので、急激な断面変化がなく応力集中の発生が少ない。
【００４０】
鍔部３０は、第１のブラケット部２１の左端に設けられた第１の鍔部３１と、第２のブラケット部２２の右端に設けられた第２の鍔部３２と、を有する。
【００４１】
第１の鍔部３１は、Ｙ方向に沿って対向して設けられ、Ｙ方向に沿って対向する位置に第１の貫通孔２１Ｈが形成された２枚のプレート３１Ａ，３１Ｂを有する。
【００４２】
第２の鍔部３２は、Ｙ方向に沿って対向して設けられ、Ｙ方向に沿って対向する位置に第２の貫通孔２２Ｈが形成された２枚のプレート３２Ａ，３２Ｂを有する。
【００４３】
第１の貫通孔２１Ｈの穴径は第２の貫通孔２２Ｈの穴径より小さく形成され、第１の貫通孔２１Ｈ及び第２の貫通孔２２Ｈは、貫通孔２０Ｈを構成する。
【００４４】
第１の貫通孔２１Ｈは、内部に車輪側からのボルト（不図示）が挿通され、ナット（不図示）により車輪（不図示）と連結される。
【００４５】
第２の貫通孔２２Ｈは、内部にブッシュが圧入され、ゴムなどの弾性材を介して車体側から突出されている軸部材（不図示）と連結される。
【００４６】
サスペンションアーム１は２側面Ｗ１，Ｗ２が突き合わせ接合される接合部４０をさらに有する。接合部４０は、図１（Ｂ）に示されるように、脆弱部１１を除いてＸ方向に溶接接合によって接合される。
【００４７】
次に、本実施形態に係るサスペンションアーム１の製造方法について説明する。
【００４８】
図２は本実施形態に係るサスペンションアーム１のプレス加工前の金属製の平板である被加工材Ｗを示す図である。
【００４９】
まず、ＹＺ平面内で、被加工材Ｗの非押出部ＮＰを残して、屈曲部Ｋを介してＺ方向へ押し出されるとともにＸ方向外向きに拡大して伸延する押出部Ｐを形成する（押出工程）。
【００５０】
図３は本実施形態に係るサスペンションアーム１の製造方法の押出工程を示す図であって、図３（Ａ）はＸ軸に直交する断面図、図３（Ｂ）はＹ軸に直交する図２の中央線Ｏにおける中央断面図である。図４は押出工程終了時の被加工材Ｗの斜視図である。
【００５１】
平板である被加工材Ｗは、図３（Ａ）に示されるように、第１成形型５０によりＺ方向上向きに押し出され、押出部Ｐが形成される。第１成形型５０は、第１上型５１と、第１上型５１と対向して設けられる第１下型５２と、ブランクホルダ５３と、を有する。第１下型５２には、第１上型５１に向かって突出するとともにＸ方向に伸延する凸部５４が形成され、第１上型５１には、第１下型５２の凸部５４に対応して窪んだ溝部５５が形成されている。ブランクホルダ５３は第１下型５２の外周に設けられる。
【００５２】
押出工程では、まず第１成形型５０内に被加工材Ｗを設置し、第１下型５２を第１上型５１から離隔した状態のまま第１上型５１及びブランクホルダ５３を近接させ、第１上型５１及びブランクホルダ５３により被加工材Ｗを挟持する。
【００５３】
この後、第１下型５２を第１上型５１に近接させ、被加工材Ｗに、第１上型５１の溝部５５に対応して第１上型５１に向かう方向に突出する押出部Ｐが形成される。押出部Ｐは、Ｘ方向の中央近傍に形成され、Ｘ方向に同一形状を有する第１押出部Ｐ１と、第１押出部Ｐ１のＸ方向の両端に形成され、Ｘ方向外向きに拡大する第２押出部Ｐ２と、を有する。
【００５４】
この押出工程の際には、第１上型５１及びブランクホルダ５３により被加工材Ｗが挟持されているため、被加工材Ｗの流入の偏りが抑制され、しわ等の発生を防止できる。
【００５５】
このように、押出工程により、図４に示されるように、ＹＺ平面内で被加工材Ｗの非押出部ＮＰを残して、屈曲部Ｋを介してＺ方向へ押し出されるとともにＸ方向外向きに拡大して伸延する押出部Ｐが形成される。
【００５６】
次に被加工材Ｗの非押出部ＮＰの外周の不要部分をトリミングする（トリミング工程）。
【００５７】
図５は、本実施形態に係るサスペンションアーム１の製造方法のトリミング工程を示すＸ軸に直交する断面図である。図６はトリミング工程終了時の被加工材Ｗの斜視図である。
【００５８】
押出部Ｐが形成された被加工材Ｗは、図５に示されるように、第２成形型６０によりトリミングされる。この第２成形型６０は、第２上型６１と、第２下型６２と、を有している。第２下型６２には、第２上型６１と対向する面の外周端に下型切断刃６３が形成されている。第２上型６１には、第２下型６２と対向して設けられるとともに背面にバネが設けられて第２下型６２に向かう方向へ付勢されたホルダ部６４と、ホルダ部６４の外周に設けられて下型切断刃６３と対となる上型切断刃６５とが設けられる。第２下型６２とホルダ部６４とは、被加工材Ｗの所望の形状に対応する形状を有している。
【００５９】
トリミング工程では、まず第２成形型６０内に押出部Ｐが形成された被加工材Ｗを設置し、第２上型６１と第２下型６２とを近接させる。第２上型６１のホルダ部６４と第２下型との間に被加工材Ｗが挟まれると、ホルダ部６４がバネにより付勢されつつ後退する。ホルダ部６４が後退すると、上型切断刃６５と下型切断刃６３との間に被加工材Ｗが挟まれ、図５に示されるように、被加工材Ｗの外周部Ｗ´が切り落とされる。この後、第２上型６１と第２下型６２とを離隔させると、バネの反動力により第２上型６１から被加工材Ｗが取り出される。
【００６０】
このように、トリミング工程により、図６に示されるように、被加工材Ｗの非押出部ＮＰの不要部分がトリミングされ、Ｙ方向に沿って２側面Ｗ１，Ｗ２が形成される。
【００６１】
次に、トリミングされた被加工材Ｗを屈曲させる（屈曲工程）。
【００６２】
図７は本実施形態に係るサスペンションアーム１の製造方法の屈曲工程を示すＸ軸に直交する断面図である。図８は屈曲工程終了時の被加工材Ｗの斜視図である。
【００６３】
トリミングされた被加工材Ｗは、図７に示されるように、上下が反転されて第３成形型７０により屈曲される。第３成形型７０は、被加工材Ｗが嵌る溝部７３が形成された第３下型７２と、溝部７３に嵌合する凸部７４が形成された第３上型７１と、を有している。また、第３下型７２には、溝部７３から成形された被加工材Ｗを突き出すための突出部７５が備えられている。
【００６４】
屈曲工程では、まず第３成形型７０内にトリミングされた被加工材Ｗを上下反転して設置し、第３上型７１と第３下型７２とを近接させる。第３上型７１の凸部７４と第３下型７２の溝部７３の間に被加工材Ｗが挟まれると、押出部Ｐと非押出部ＮＰとの間の屈曲部Ｋがプレスされ、２側面Ｗ１，Ｗ２の交差方向が第３上型７１に向かう方向（Ｚ方向上向き）になるように成形される。そして、第３成形型７０により成形された被加工材Ｗは、溝部７３から突出部７５によって突き出される。
【００６５】
このように、屈曲工程により、図８に示されるように、２側面Ｗ１，Ｗ２の交差方向がＺ方向上向きになるように屈曲される。
【００６６】
次に、屈曲工程により屈曲された被加工材Ｗを更に屈曲させ、２側面Ｗ１，Ｗ２を近づける（内曲げ工程）。
【００６７】
図９は本実施形態に係るサスペンションアーム１の製造方法の内曲げ工程を示すＸ軸に直交する断面図である。図１０は内曲げ工程終了時の被加工材Ｗの斜視図である。
【００６８】
屈曲工程により屈曲された被加工材Ｗは、図９に示されるように、第４成形型８０により、更に屈曲される。第４成形型８０は、被加工材Ｗが嵌る溝部８３が形成された第４下型８２と、溝部８３に嵌合する凸部８４が形成された第４上型８１と、を有する。また、第４下型８２には、溝部８３から成形された被加工材Ｗを突き出すための突出部８５が備えられている。
【００６９】
内曲げ工程では、まず第４成形型８０内に被加工材Ｗを設置し、第４上型８１と第４下型８２とを近接させる。第４成形型８０の凸部８４は、第３成形型７０の凸部７４よりも押圧方向に長く、かつ幅が狭く形成されており、また、第４成形型８０の溝部８３も、凸部８４に対応して第３成形型７０の溝部７３よりも押圧方向に長く、かつ幅が狭く形成されている。このため、成形される被加工材Ｗは、押出方向に長く成形され、２側面Ｗ１，Ｗ２が近づく。第４成形型８０により成形された被加工材Ｗは、溝部８３から突出部８５によって突き出される。
【００７０】
このように、内曲げ工程により、図１０に示されるように、２側面Ｗ１，Ｗ２が近づく。
【００７１】
次に、内曲げ工程により屈曲された被加工材Ｗを更に屈曲させ、２側面Ｗ１，Ｗ２を当接させる（当接工程）。
【００７２】
図１１は本実施形態に係るサスペンションアーム１の製造方法の当接工程を示すＸ軸に直交する断面図である。図１２は当接工程終了時の被加工材Ｗの斜視図である。
【００７３】
内曲げ工程により屈曲された被加工材Ｗは、図１１に示されるように、第５成形型９０により更に屈曲される。第５成形型９０は、被加工材Ｗが嵌る上型溝部９３が形成された第５上型９１と、第５上型９１と対向し、被加工材Ｗが嵌る下型溝部９４が形成された第５下型９２と、を有する。また、第５下型９２には、下型溝部９４から成形された被加工材Ｗを突き出すための突出部９５が備えられている。
【００７４】
当接工程では、まず第５成形型９０内に被加工材Ｗを２側面Ｗ１，Ｗ２が設けられる側を第５上型９１に向けて設置し、第５上型９１と第５下型９２とを近接させる。上型溝部９３と下型溝部９４との間では、被加工材Ｗが押出方向に長く成形されているため、第５上型９１と第５下型９２とが近接することによって、２側面Ｗ１，Ｗ２が上型溝部９３の壁面に沿って移動しつつ当接する。さらに２側面Ｗ１，Ｗ２が当接した当接部Ｗ３を溶接接合することによって、接合部４０が形成される。
【００７５】
このように、当接工程により、図１２に示されるように、２側面Ｗ１，Ｗ２が当接される。
【００７６】
次に、２側面Ｗ１，Ｗ２が当接された被加工材ＷのＸ方向の両端に矩形部Ｗ４を形成する（矩形部形成工程）。
【００７７】
図１３は本実施形態に係るサスペンションアーム１の矩形部形成工程を示すＸ軸に直交するＸ方向の両端における断面図である。図１４は矩形部形成工程終了時の被加工材Ｗの斜視図である。
【００７８】
２側面Ｗ１，Ｗ２が当接された被加工材Ｗは、図１３に示されるように、Ｘ方向の両端に断面が矩形状の中子Ｎを配置した後に、第６成形型１００により矩形部Ｗ４が形成される。第６成形型１００は、被加工材Ｗが嵌る右型溝部１０３が形成された第６右型１０１と、第６右型１０１と対向し、被加工材Ｗが嵌る左型溝部１０４が形成された第６左型１０２と、を有する。
【００７９】
矩形部形成工程では、まず被加工材ＷのＸ方向の両端に中子Ｎを配置した後に、第６右型１０１と第６左型１０２とを近接させる。第６右型１０１と第６左型１０２とが近接することによって、中子Ｎの外形、右型溝部１０３及び左型溝部１０４に沿って被加工材ＷのＸ方向の両端が矩形状にプレスされ、矩形部Ｗ４が形成される。
【００８０】
このように矩形部形成工程により、図１４に示されるように、被加工材ＷのＸ方向の両端に矩形部Ｗ４が形成される。
【００８１】
次に、矩形部形成工程によりＸ方向の両端に形成された矩形部Ｗ４のＺ方向の２側部の一部Ｆ１，Ｆ２を切断する（切断工程）。
【００８２】
図１５は本実施形態に係るサスペンションアーム１の切断工程を示すＸ軸に直交するＸ方向の両端における断面図である。図１６は切断工程終了時の被加工材Ｗの斜視図である。
【００８３】
Ｘ方向の両端に矩形部Ｗ４が形成された被加工材Ｗは、図１５に示されるように、Ｚ方向に貫通孔ＮＨが設けられた中子Ｎ１を矩形部Ｗ４に配置した後に、第７成形型１１０により、矩形部Ｗ４のＺ方向の２側部の一部Ｆ１，Ｆ２が順次切断される。図１５では矩形部Ｗ４のＺ方向の２側部のうちの１側部の一部Ｆ１が切断される様子を示す。第７成形型１１０は、Ｚ方向の下部に切断刃１１３が形成された第７上型１１１と、第７上型１１１と対向し、被加工材Ｗが嵌る溝部１１４が形成された第７下型１１２と、を有する。第７上型１１１は凸部１１５を有し、凸部１１５の幅は、中子Ｎ１の貫通孔ＮＨの幅より小さく形成されるため、互いに干渉することなく切断が可能である。
【００８４】
切断工程では、まず被加工材ＷのＸ方向の両端に中子Ｎ１を配置した後に、第７下型１１２の溝部１１４に被加工材Ｗを嵌める。そして、第７上型１１１を第７下型１１２側へ移動させると、第７上型１１０の切断刃１１３が矩形部Ｗ４のＺ方向の２側部のうちの１側部の一部Ｆ１が切断され、中子Ｎ１の貫通孔ＮＨ内に切断片として落下する。同様に、矩形部Ｗ４のＺ方向の２側部のうちの１側部の一部Ｆ２が切断される。
【００８５】
このように、切断工程により、図１６に示されるように、Ｘ方向の両端に形成された矩形部Ｗ４のＺ方向の２側部の一部Ｆ１，Ｆ２が切断される。
【００８６】
次に、Ｚ方向の２側部の一部Ｆ１，Ｆ２が切断された矩形部Ｗ４をノッチ加工して、Ｙ方向に沿って２つの鍔部３０を形成する（ノッチ工程）。
【００８７】
図１７はノッチ工程終了時の被加工材Ｗの斜視図である。なお、図１７では被加工材ＷのＸ方向の一端のみ示す。
【００８８】
ノッチ工程では、図１７に示されるように、第１ノッチ加工機（不図示）によって、被加工材ＷのＸ方向の一端がノッチ加工され、不要部３０Ｎが切断片として切断され、２枚のプレート３１Ａ，３１Ｂが形成される。同様に、被加工材ＷのＸ方向の他端がノッチ加工され、２枚のプレート３２Ａ，３２Ｂが形成される。２枚のプレート３１Ａ，３１Ｂ及び２枚のプレート３２Ａ，３２Ｂは２つの鍔部３０を構成する。
【００８９】
このように、ノッチ工程により、Ｙ方向に沿って２つの鍔部３０が形成される。
【００９０】
次に、２つの鍔部３０が形成された矩形部Ｗ４をピアス加工して、２つの鍔部３０のＹ方向に沿って対向する位置に貫通孔２０Ｈを形成する（ピアス工程）。
【００９１】
図１８はピアス工程終了時の被加工材Ｗの斜視図である。なお、図１８では被加工材ＷのＸ方向の一端のみを示す。
【００９２】
ピアス工程では、図１８に示されるように、ピアス加工機（不図示）によって、被加工材ＷのＸ方向の一端がピアス加工され、不要部２０Ｎが切断片として切断され、Ｙ方向に沿って対向する位置に貫通孔２１Ｈが形成される。同様に、被加工材ＷのＸ方向の他端がピアス加工されＹ方向に沿って対向する位置に貫通孔２２Ｈが形成される。貫通孔２１Ｈ及び貫通孔２２Ｈは貫通孔２０Ｈを構成する。
【００９３】
このように、ピアス工程により２つの鍔部３０のＹ方向に沿って対向する位置に貫通孔２０Ｈが形成される。
【００９４】
以上の工程によって、Ｘ方向に沿って設けられ、円筒形状を有する円筒部１０と、円筒部１０のＸ方向の両端に設けられ、外径がＸ方向外向きに拡大するブラケット部２０と、ブラケット部２０にＹ方向に沿って対向して設けられ、Ｙ方向に沿って対向する位置に貫通孔２０Ｈが設けられた２つの鍔部３０と、を有するサスペンションアーム１が製造される。
【００９５】
次に、円筒部１０の中央近傍に当該円筒部１０の他の部位よりも剛性が脆弱である脆弱部１１を形成する（脆弱部形成工程）。
【００９６】
図１９は脆弱部形成工程終了時の被加工材Ｗの上面図である。
【００９７】
脆弱部形成工程では、図１９に示されるように、第２ノッチ加工機（不図示）によって、円筒部１０の中央近傍が切断され、当該円筒部１０の中央近傍に脆弱部１１が形成される。
【００９８】
以上の工程を通じて、サスペンションアーム１が製造される。
【００９９】
以上説明したように、本実施形態に係るサスペンションアーム１は、Ｘ方向及びＹ方向がなすＸＹ平面に延在する平板である被加工材Ｗを段階的にプレス加工することにより、Ｙ方向の２側面Ｗ１，Ｗ２を突き合わせ接合して成形したサスペンションアーム１である。サスペンションアーム１は、Ｘ方向に沿って設けられ、円筒形状を有する円筒部１０と、円筒部１０のＸ方向の両端に設けられ、外径がＸ方向外向きに拡大するブラケット部２０と、ブラケット部２０にＹ方向に沿って対向して設けられ、Ｙ方向に沿って対向する位置に貫通孔２０Ｈが形成された２つの鍔部３０と、を有する。このため、平板である被加工材Ｗをプレス加工することにより、ブラケット部２０の外径がＸ方向の外側に向かって大きくなるように成形され、急激な断面変化がなく製造が容易でコスト的にも有利なサスペンションアーム１を提供することができる。
【０１００】
また、円筒部１０は、当該円筒部１０の他の部位よりも剛性が脆弱である脆弱部１１を有する。このため、サスペンションアーム１に所定値以上の圧縮荷重が加わったとき、脆弱部１１において座屈を発生させることができる。
【０１０１】
また、脆弱部１１は、円筒部１０の周壁に形成した周壁孔から構成される。このため、脆弱部１１の剛性を周壁孔の大きさによって適宜設定することができるため、サスペンションアーム１が座屈する圧縮荷重を自由に設定することができる。
【０１０２】
また、円筒部１０の端部の直径をｄ１、ブラケット部２０の最大直径をｄ２、円筒部１０の端部からブラケット部２０の最大直径の位置までの距離をＬとして、α＝（ｄ２−ｄ１）／Ｌで表される拡大率αが１／３より小さい。このため、ブラケット部２０の外径が緩やかに変化するので、急激な断面変化がないサスペンションアーム１を提供することができる。
【０１０３】
また、以上説明したように、本実施形態に係るサスペンションアーム１の製造方法は、Ｘ方向及びＹ方向がなすＸＹ平面に延在する平板である被加工材Ｗを段階的にプレス加工することにより、Ｘ方向とＺ方向とがなすＸＺ平面における被加工材Ｗの２側面Ｗ１，Ｗ２を突き合わせて、中空形状を有するサスペンションアーム１を製造するためのサスペンションアーム１の製造方法である。そして、ＹＺ平面内で、被加工材Ｗの非押出部ＮＰを残して、Ｚ方向へ押し出されるとともにＸ方向外向きに拡大して伸延する押出部Ｐを形成する工程と、ＹＺ平面における押出部Ｐの湾曲形状に沿うように非押出部ＮＰをプレス加工して、２側面Ｗ１，Ｗ２を当接する工程と、を有する。さらに、Ｘ方向の両端に中子Ｎを配置した状態で、プレス加工して、Ｘ方向の両端に矩形部Ｗ４を形成する工程と、矩形部Ｗ４のＺ方向の２側部の一部Ｆ１，Ｆ２を切断する工程と、を有する。さらに、２側部の一部Ｆ１，Ｆ２が切断された矩形部Ｗ４をノッチ加工して、Ｙ方向に沿って２つの鍔部３０を形成する工程と、２つの鍔部３０が形成された矩形部Ｗ４をピアス加工して、２つの鍔部３０のＹ方向に沿って対向する位置に貫通孔２０Ｈを形成する工程と、を有する。このため、本実施形態に係るサスペンションアーム１を容易に低コストで製造できる。
【０１０４】
また、２側面Ｗ１，Ｗ２を当接する工程の後に、他の部位よりも剛性が脆弱である脆弱部１１を形成する工程をさらに有する。このため、サスペンションアーム１に所定値以上の圧縮荷重が加わったとき、脆弱部１１において座屈を発生させることができる。
【０１０５】
＜第２実施形態＞
次に、本発明の第２実施形態を説明する。第１実施形態と共通する部分は説明を省略し、第２実施形態のみに特徴のある箇所について説明する。なお、上述した第１実施形態と同一の部材には同一の符号を付して説明し、重複した説明は省略する。第２実施形態は、第１実施形態と比較して、Ｙ方向の２側面Ｓ１，Ｓ２がＸ方向の両端近傍において離間する点において異なる。
【０１０６】
図２０は、本発明の第２実施形態に係るサスペンションアーム２を示す斜視図である。
【０１０７】
本実施形態に係るサスペンションアーム２は、概説すると、図２０に示されるように、Ｘ方向に沿って設けられ円筒形状を有する円筒部１０と、円筒部１０のＸ方向の両端に設けられ、外径がＸ方向外向きに拡大するブラケット部１２０と、ブラケット部１２０にＹ方向に沿って対向して設けられ、Ｙ方向に沿って対向する位置に貫通孔１２０Ｈが形成された２つの鍔部１３０と、を有する。
【０１０８】
ブラケット部１２０は、円筒部１０の左端に設けられた第１のブラケット部１２１と、円筒部１０の右端に設けられた第２のブラケット部１２２と、を有する。
【０１０９】
鍔部１３０は、第１のブラケット部１２１の左端に設けられた第１の鍔部１３１と、第２のブラケット部１２２の右端に設けられた第２の鍔部１３２と、を有する。
【０１１０】
第１の鍔部１３１は、Ｙ方向に沿って対向して設けられ、Ｙ方向に沿って対向する位置に第１の貫通孔１２１Ｈが形成された２枚のプレート１３１Ａ，１３１Ｂを有する。
【０１１１】
第２の鍔部１３２は、Ｙ方向に沿って対向して設けられ、Ｙ方向に沿って対向する位置に第２の貫通孔１２２Ｈが形成された２枚のプレート１３２Ａ，１３２Ｂを有する。
【０１１２】
Ｙ方向の２側面Ｓ１，Ｓ２は、Ｚ方向から視て、突き合わせ接合される接合部１４０と、当該接合部１４０のＸ方向の両端に設けられＸ方向外向きに拡大して離間する離間部１４１と、を有する。
【０１１３】
接合部１４０は、脆弱部１１を除いてＸ方向に溶接接合によって接合される。離間部１４１は、Ｘ方向外向きに拡大して離間する略Ｖ字形状を有する。
【０１１４】
次に、図２１〜図２９を参照して、本実施形態に係るサスペンションアーム２の製造方法について説明する。
【０１１５】
図２１は、本実施形態に係るサスペンションアーム２のプレス加工前の長方形状の平板である基板Ｂを示す図である。
【０１１６】
まず、長方形状の平板である基板Ｂを切断して、Ｚ方向から視て、Ｘ方向の中央近傍においてＸ方向に略平行であって、Ｘ方向外向きに拡大しつつ両端近傍においてＸ方向に略平行な形状の被加工材Ｗ０を形成する（トリミング工程）。
【０１１７】
本実施形態では、基板Ｂから３つの被加工材Ｗ０が得られる。このとき、被加工材Ｗ０が両端近傍においてＸ方向に略平行な形状を有するため、効率よく被加工材Ｗ０を得ることができる。なお、本実施形態では基板Ｂから３つの被加工材Ｗ０が得られたが、これに限られない。
【０１１８】
図２２は、本実施形態に係るサスペンションアーム２の製造方法のトリミング工程を示すＸ軸に直交する断面図である。図２３は、トリミング工程終了時の被加工材Ｗ０の上面図である。
【０１１９】
基板Ｂは、図２２に示されるように、第８成形型１６０によりトリミングされる。この第８成形型１６０は、第２上型１６１と、第２下型１６２と、を有している。第２下型１６２には、第２上型１６１と対向する面の外周端に下型切断刃１６３が形成されている。第２上型１６１には、第２下型１６２と対向して設けられるとともに背面にバネが設けられて第２下型１６２に向かう方向へ付勢されたホルダ部１６４と、ホルダ部１６４の外周に設けられて下型切断刃１６３と対となる上型切断刃１６５と、が設けられる。第２下型１６２とホルダ部１６４とは、基板Ｂの形状に対応する形状を有している。
【０１２０】
本実施形態に係るトリミング工程におけるトリミング方法は、第１実施形態に係るトリミング工程におけるトリミング方法と同様であるため、ここでは省略する。
【０１２１】
このように、トリミング工程により、基板Ｂがトリミングされ被加工材Ｗ０が形成され、Ｙ方向に沿って２側面Ｓ１，Ｓ２が形成される。トリミングされた被加工材Ｗ０は、図２３Ａに示されるように、中央近傍においてＸ方向に略平行であって、Ｘ方向外向きに拡大しつつ両端近傍においてＸ方向に略平行な形状となる。また、Ｘ方向の両端部では、Ｘ方向内向きに凹んだ凹部Ｓ３が設けられる。被加工材Ｗ０は、上述の構成を有するため、後述するように、離間部１４１が形成される。
【０１２２】
図２３Ｂは、対比例として離間部１４１が形成されない場合の被加工材Ｗ６の上面図である。離間部１４１が形成されないようにする場合、被加工材Ｗ６には、図２３Ｂに示すように、Ｙ方向に突出する突起部Ｔが必要となる。本実施形態に係る被加工材Ｗ０を、対比例に係る被加工材Ｗ６と対比した場合、突起部Ｔに対応する分だけ、材料の歩留まりが向上する。
【０１２３】
次に、トリミングされた被加工材Ｗ０を屈曲させる（屈曲工程）。屈曲工程では、被加工材Ｗ０をプレス加工して、ＹＺ平面内でＺ方向へ押し出されるとともに、Ｘ方向外向きに拡大して伸延する押出部Ｐ５が形成される。
【０１２４】
図２４は、本実施形態に係るサスペンションアーム２の製造方法の屈曲工程を示すＸ軸に直交する断面図であって、図２４（Ａ）は屈曲工程前を、図２４（Ｂ）は屈曲工程終了時をそれぞれ示す。図２５は、屈曲工程終了時の被加工材Ｗ０の斜視図である。
【０１２５】
トリミングされた被加工材Ｗ０は、図２４（Ａ），（Ｂ）に示されるように、第９成形型１７０により屈曲される。第９成形型１７０は、被加工材Ｗ０が嵌る溝部１７３が形成された第９下型１７２と、溝部１７３に嵌合する凸部１７４が形成された第９上型１７１と、を有する。また、第９下型１７２には、溝部１７３から成形された被加工材Ｗ０を突き出すための突出部１７５が備えられている。
【０１２６】
屈曲工程では、まず第９成形型１７０内にトリミングされた被加工材Ｗ０を設置する（図２４（Ａ）参照）。そして、第９上型１７１と第９下型１７２とを近接させることによって、被加工材Ｗ０に、第９上型１７１の凸部１７４及び第９下型１７２の溝部１７３の形状に対応して、第９下型１７２に向かう方向に突出する押出部Ｐ５が形成される（図２４（Ｂ）参照）。上述したように、被加工材Ｗ０はトリミング工程において、中央近傍においてＸ方向に略平行であって、Ｘ方向外向きに拡大しつつ両端近傍においてＸ方向に略平行な形状にトリミングされているため、押出部Ｐ５は、Ｘ方向の中央近傍に形成され、Ｘ方向に同一の形状を有する第１押出部Ｐ６と、第１押出部Ｐ６のＸ方向の両端に形成され、Ｘ方向外向きに拡大する第２押出部Ｐ７と、を有する。
【０１２７】
そして、第９成形型１７０によって成形された被加工材Ｗ０は、溝部１７３から突出部１７５によって突き出される。
【０１２８】
このように、屈曲工程により、図２５に示されるように、Ｘ方向外向きに拡大して伸延する押出部Ｐ５が形成されるとともに、２側面Ｓ１，Ｓ２の直交する方向がＺ方向上向きになるように屈曲される。
【０１２９】
次に、Ｘ方向の両側から一対の中子Ｎ５，Ｎ６を被加工材Ｗ０に挿入した状態で、被加工材Ｗ０をプレス加工して、２側面Ｓ１，Ｓ２を当接しつつＸ方向の両端に矩形部Ｗ５を形成する（当接工程）。
【０１３０】
図２６は、本実施形態に係るサスペンションアーム２の製造方法の当接工程の際に、被加工材Ｗ０に一対の中子Ｎ５，Ｎ６を挿入する様子を示す斜視図である。図２７は、本実施形態に係るサスペンションアーム２の製造方法の当接工程を示す、Ｘ方向中央近傍におけるＸ軸に直交する断面図であって、図２７（Ａ）は当接工程前を、図２７（Ｂ）は当接工程終了後をそれぞれ示す。図２８は、本実施形態に係るサスペンションアーム２の製造方法の当接工程を示す、Ｘ方向両端近傍におけるＸ軸に直交する断面図であって、図２８（Ａ）は当接工程前を、図２８（Ｂ）は当接工程終了後をそれぞれ示す。図２９は、本実施形態に係る当接工程終了時の被加工材Ｗ０の斜視図である。
【０１３１】
まず、屈曲工程により屈曲された被加工材Ｗ０に、図２６に示されるように、一対の中子Ｎ５，Ｎ６が挿入される。一対の中子Ｎ５，Ｎ６は、図２６においてＸ方向左側に挿入される第１の中子Ｎ５と、Ｘ方向右側に挿入される第２の中子Ｎ６と、を有する。第１の中子Ｎ５と第２の中子Ｎ６とは略同一の形状を有する。なお、第１の中子Ｎ５と第２の中子Ｎ６とは、互いに異なる形状であってもよい。
【０１３２】
第１の中子Ｎ５は、図２６においてＸ方向左側に設けられＸ軸に直交する断面が長方形である長方形状中子Ｎ５ａと、Ｘ方向右側に設けられＸ軸に直交する断面が円形である円形状中子Ｎ５ｂと、を有する。第２の中子Ｎ６は、同様に、長方形状中子Ｎ６ａと、円形状中子Ｎ６ｂと、を有する。
【０１３３】
一対の中子Ｎ５，Ｎ６が挿入された被加工材Ｗ０は、図２７，図２８に示されるように、第１０成形型１８０により、プレス加工して、２側面Ｓ１，Ｓ２を当接しつつＸ方向の両端に矩形部Ｗ５を形成する。
【０１３４】
まず、図２７を参照して、Ｘ方向中央近傍における第１０成形型１８０の構成を説明する。第１０成形型１８０は、被加工材Ｗ０が嵌る上型溝部１８３が形成された第１０上型１８１と、第１０上型１８１と対向し、被加工材Ｗ０が嵌る下型溝部１８４が形成された第１０下型１８２と、を有する。また、第１０下型１８２には、下型溝部１８４から成形された被加工材Ｗ０を突き出すための突出部１８５が備えられている。Ｘ方向中央近傍における上型溝部１８３及び下型溝部１８４は、それぞれ略半円形状を有する。
【０１３５】
次に、図２８を参照して、Ｘ方向両端近傍における第１０成形型１８０の構成を説明する。第１０成形型１８０は、被加工材Ｗ０が嵌る上型溝部１８３が形成された第１０上型１８１と、第１０上型１８１と対向し、被加工材Ｗ０が嵌る下型溝部１８４が形成された第１０下型１８２と、を有する。Ｘ方向両端近傍における上型溝部１８３及び下型溝部１８４は、それぞれ矩形形状を有する。
【０１３６】
当接工程では、まず第１０成形型１８０内に、一対の中子Ｎ５，Ｎ６が挿入された被加工材Ｗ０を、２側面Ｓ１，Ｓ２が設けられる側を第１０上型１８１に向けて設置する（図２７（Ａ），図２８（Ａ）参照）。そして、第１０上型１８１と第１０下型１８２とを近接させる。上型溝部１８３と下型溝部１８４との間では、被加工材Ｗ０がＺ方向に長く成形されているため、第１０上型１８１と第１０下型１８２とが近接することによって、２側面Ｓ１，Ｓ２が上型溝部１８３の壁面に沿って移動しつつ当接する（図２７（Ｂ），図２８（Ｂ）参照）。
【０１３７】
このとき、上述したように、被加工材Ｗ０はトリミング工程において、中央近傍においてＸ方向に略平行であって、Ｘ方向外向きに拡大しつつ両端近傍において略平行な形状にトリミングされているため、第１０上型１８１と第１０下型１８２とを近接させる際に、２側面Ｓ１，Ｓ２は、第１０上型１８１に対して点接触することがなくなる。したがって、第１０上型１８１の部分摩耗を防止することができる。
【０１３８】
そして、２側面Ｓ１，Ｓ２が当接した箇所を溶接接合した後に、第１０成形型１８０によって成形された被加工材Ｗ０は、溝部１８４から突出部１８５によって突き出される。
【０１３９】
このように、当接工程により、図２９に示されるように、２側面Ｓ１，Ｓ２が当接されつつＸ方向の両端に矩形部Ｗ５が形成される。また、上述したように、被加工材Ｗ０はトリミング工程において、中央近傍においてＸ方向に略平行であって、Ｘ方向外向きに拡大しつつ両端近傍においてＸ方向に略平行な形状にトリミングされているため、２側面Ｓ１，Ｓ２を当接する際に、Ｘ方向の両端近傍において２側面Ｓ１，Ｓ２が徐々に離間する。すなわち、２側面Ｓ１，Ｓ２は突き合わされた際に、Ｚ方向から視て、突き合わせ接合される接合部１４０と、接合部１４０のＸ方向の両端に設けられＸ方向外向きに拡大して離間する離間部１４１と、を有する。
【０１４０】
また、トリミング工程においてＸ方向の両端部において、Ｘ方向内向きに凹んだ凹部Ｓ３が形成されているため、当接工程後における被加工材Ｗ０は、両端部において、第１実施形態においてノッチ加工した後と同様、２つの鍔部１３０が形成される。
【０１４１】
次に、第１実施形態と同様に、ピアス工程において、２つの鍔部１３０のＹ方向に沿って対向する位置に貫通孔１２０Ｈを形成し、脆弱部形成工程において、円筒部１０の中央近傍に当該円筒部１０の他の部位よりも剛性が脆弱である脆弱部１１を形成する。
【０１４２】
本実施形態に係るピアス工程及び脆弱部形成工程は、第１実施形態に係るピアス工程及び脆弱部形成工程と同様の工程であるため、ここでは省略する。
【０１４３】
以上の工程を通じて、本実施形態に係るサスペンションアーム２が製造される。
【０１４４】
以上説明したように、本実施形態に係るサスペンションアーム２では、２側面Ｓ１，Ｓ２は、Ｚ方向から視て、突き合わせ接合される接合部１４０と、接合部１４０のＸ方向の両端に設けられＸ方向外向きに拡大して離間する離間部１４１と、を有する。このため、サスペンションアーム２を軽量化することができる。また、材料の歩留まりが向上する。
【０１４５】
また、以上説明したように、本実施形態に係るサスペンションアーム２の製造方法は、Ｘ方向及びＹ方向がなすＸＹ平面に延在する平板である被加工材Ｗ０を段階的にプレス加工することにより、Ｘ方向とＺ方向がなすＸＺ平面における被加工材Ｗ０の２側面Ｓ１，Ｓ２を突き合わせて、中空形状を有するサスペンションアーム２を製造するためのサスペンションアーム２の製造方法である。サスペンションアーム２の製造方法は、被加工材Ｗ０をプレス加工して、Ｙ方向及びＺ方向がなすＹＺ平面内でＺ方向へ押し出されるとともにＸ方向外向きに拡大して伸延する押出部Ｐ５を形成する工程と、Ｘ方向の両側から一対の中子Ｎ５，Ｎ６を被加工材Ｗ０に挿入した状態で、被加工材Ｗ０をプレス加工して、２側面Ｓ１，Ｓ２を当接しつつＸ方向の両端に矩形部Ｗ５を形成する工程と、矩形部Ｗ５をピアス加工して、矩形部Ｗ５のＹ方向に沿って対向する位置に貫通孔１２０Ｈを形成する工程と、を有する。このため、本実施形態に係るサスペンションアーム２を容易に低コストで製造できる。さらに第１実施形態に係るサスペンションアーム１の製造方法と比較して、より少ない工程でサスペンションアーム２を製造することができる。
【０１４６】
また、押出部Ｐ５を形成する工程の前に、長方形状の平板である基板Ｂを切断して、Ｚ方向から視て、Ｘ方向の中央近傍においてＸ方向に略平行であって、Ｘ方向外向きに拡大しつつ両端近傍においてＸ方向に略平行な形状の前記被加工材Ｗ０を形成する工程をさらに有し、２側面Ｓ１，Ｓ２は突き合わされた際に、Ｚ方向から視て、突合せ接合される接合部１４０と、接合部１４０のＸ方向の両端に設けられＸ方向外向きに拡大して離間する離間部１４１と、を有する。このため、当接工程において２側面Ｓ１，Ｓ２を当接する際、２側面Ｓ１，Ｓ２は第１０上型１８１に対して点接触することがなくなる。したがって、第１０上型１８１の部分摩耗を防止でき、第１０上型１８１を長く使用することができる。また、基板Ｂから効率よく被加工材Ｗ０を得ることができ、材料の歩留まりが向上する。
【０１４７】
なお、本発明は上述した実施の形態に限定されるものではなく、特許請求の範囲内で種々改変することができる。
【０１４８】
例えば、上述した実施形態に係るサスペンションアーム１，２の製造方法では、脆弱部形成工程はピアス工程の終了後に実施されたが、これに限られず、当接工程より後の工程であれば、どのタイミングで行われてもよい。
【０１４９】
また、当接工程において溶接接合がされたが、これに限られず、当接工程より後の工程であれば、どのタイミングで行われてもよい。
【０１５０】
また、上述した第１実施形態では、脆弱部１１は脆弱部形成工程において、円筒部１０の中央近傍が切断されることによって形成されたが、これに限られず、図３０に示されるように、あらかじめ平板である被加工材Ｗに切欠きＶを設け、切欠きＶを有する２側面Ｗ１´，Ｗ２´が突き合わされることによって形成されてもよい。このとき、予め形成された切欠きが突き合わされることによって周壁孔が形成されるため、穴開け加工がなくなり、容易に周壁孔を形成することができる。
【０１５１】
また、上述した第１実施形態では、脆弱部１１は、円筒部１０の周壁に形成した周壁孔から構成されたが、これに限られず、図３１に示されるように、２側面Ｗ１，Ｗ２が突き合わせ接合される接合部４０は、未溶接部ＮＳを残して溶接が施され、脆弱部１１´は未溶接部ＮＳから構成されてもよい。このとき、穴開け加工がなくなるため、容易に脆弱部１１´を形成することができる。
【０１５２】
また、上述した第１，第２実施形態では、サスペンションアーム１，２として使用されたが、クラッチペダルアーム、ラジアスロッドあるいはトレーリングアームなどのような長尺なアーム状をした車両用部品にも同様に適用可能である。
【符号の説明】
【０１５３】
１，２    サスペンションアーム、
１０    円筒型、
１１，１１´    脆弱部、
２０，１２０    ブラケット部、
３０，１３０    鍔部、
４０，１４０    接合部、
１４１    離間部、
Ｂ    基板、
Ｆ１，Ｆ２    ２側部の一部、
Ｎ，Ｎ１，Ｎ５，Ｎ６    中子、
ＮＰ    非押出部、
ＮＳ    未溶接部、
Ｐ，Ｐ５    押出部、
Ｖ    切欠き、
Ｗ，Ｗ０    被加工材、
Ｗ１，Ｗ２，Ｗ１´，Ｗ２´，Ｓ１，Ｓ２    ２側面、
Ｗ３    当接部、
Ｗ４，Ｗ５    矩形部。
【図１】
2014034885.tif 000003
【図２】
2014034885.tif 000004
【図３】
2014034885.tif 000005
【図４】
2014034885.tif 000006
【図５】
2014034885.tif 000007
【図６】
2014034885.tif 000008
【図７】
2014034885.tif 000009
【図８】
2014034885.tif 000010
【図９】
2014034885.tif 000011
【図１０】
2014034885.tif 000012
【図１１】
2014034885.tif 000013
【図１２】
2014034885.tif 000014
【図１３】
2014034885.tif 000015
【図１４】
2014034885.tif 000016
【図１５】
2014034885.tif 000017
【図１６】
2014034885.tif 000018
【図１７】
2014034885.tif 000019
【図１８】
2014034885.tif 000020
【図１９】
2014034885.tif 000021
【図２０】
2014034885.tif 000022
【図２１】
2014034885.tif 000023
【図２２】
2014034885.tif 000024
【図２３Ａ】
2014034885.tif 000025
【図２３Ｂ】
2014034885.tif 000026
【図２４】
2014034885.tif 000027
【図２５】
2014034885.tif 000028
【図２６】
2014034885.tif 000029
【図２７】
2014034885.tif 000030
【図２８】
2014034885.tif 000031
【図２９】
2014034885.tif 000032
【図３０】
2014034885.tif 000033
【図３１】
2014034885.tif 000034
【国際調査報告】
2014034885.tif 000035
2014034885.tif 000036
2014034885.tif 000037
2014034885.tif 000038